(57)【要約】      （修正有）【課題】空調機からの空気を有効に利用し、カップ内の飲料を効率良く、確実に保温又は保冷できる操作が簡単な構造を得る。【解決手段】カップ収納容器２６の底面に設けた、空調機ダクト２４の空気吹出口２５と接続している通風口３１を開閉するためのシャッタ手段２７を設けた。カップ収納容器内２６にカップ３２が収納されていない時、シャッタ部材３６はコイルバネ３７の付勢力で本体部３６ａが通風口３１を閉じた遮断位置に配置され、空調機ダクト２４からの温風又は冷風が前記カップ収納容器２６内に導かれるのを絶つ。カップ収納容器２６内にカップ３２が収納されて周回壁３６ｂ上に置かれると、該カップ３２の重みでコイルバネ３７が圧縮されてシャッタ部材３６の全体が下がり、本体部３６ａが通風口３１から離れて通風口３１が開き、前記空調機ダクト２４からの温風又は冷風が通風口３１を通って前記カップ収納容器２６内に導かれるようにした。【選択図】図４
2005119376.tif 000002
【特許請求の範囲】
【請求項１】
空調機ダクトの空気吹出口と接続された通風口を有するカップ収納容器を備える建設機械のカップホルダーに於いて、
前記カップ収納容器内に収納されたカップを検出し前記通風口を開放して前記空調機ダクトからの温風又は冷風を前記カップ収納容器内に導くと共に、前記カップが排出されると前記通風口を閉じて前記空調機ダクトからの温風又は冷風を遮断するシャッタ手段を設けたことを特徴とする建設機械のカップホルダー。
【請求項２】
上記シャッタ手段は上記通風口を閉じる遮蔽位置と該通風口を開放する送風位置とに切り換え移動可能なシャッタ部材と、該シャッタ部材を前記遮蔽位置に付勢しているバネ手段とを備えて成り、前記バネ手段の付勢力に打ち勝つ重さのカップが収納されると前記シャッタ部材が前記送風位置側に移動して前記通風口が開放されるようにしたことを特徴とする請求項１記載の建設機械のカップホルダー。
【請求項３】
前記通風口を、前記カップ収納容器の底面に設けられていることを特徴とする請求項１又は２記載の建設機械のカップホルダー。
【請求項４】
前記シャッタ手段は、前記通風口を閉じる遮蔽位置と前記通風口を開放する送風位置とに回動切り換え可能で、且つ、常に前記遮蔽位置側に回動付勢されているシャッタ部と、上記カップが前記カップ収納容器内に収納されるのを検出し、該収納動作に連動して前記シャッタ部を前記遮蔽位置から通風位置に切り換えるためのセンサ部とを備えることを特徴とする請求項１記載の建設機械のカップホルダー。
【請求項５】
前記通風口を、前記カップ収納容器の側面に設けたことを特徴とする請求項１又は４記載の建設機械のカップホルダー。
【発明の詳細な説明】
【技術分野】
【０００１】
本発明は建設機械のカップホルダーに関するものであり、特に、飲料の入ったカップを保温、保冷する機能を有するカップホルダーに関するものである。
【背景技術】
【０００２】
従来、車両に搭載されるカップホルダーとしては各種のものが知られている。例えば、自動車の室内に於いて、空調機ダクトの空気吹出口の前面に取り付けられるカップホルダーがある。このカップホルダーは、使用しない時には空気吹出口の前面を覆って閉じるリッドの役目をしており、使用するときに開くとトレイ状のカップ受台として使用できる構造になっている(例えば、特許文献１参照)。
【０００３】
又、別のカップホルダーとして、空調機ダクトからカップ収納容器内に温風又は冷風を直接取り入れる構造である。このカップホルダーは、空調ダクトに繋がる通風口が周面に複数設けられているカップ収納容器を有し、空調機ダクトからの温風又は冷風を通風口からカップ収納容器内に導き、該カップ収納容器内を流れる温風又は冷風によって該カップ収納容器内に収納されている缶或いはカップ類(以下、これらを総称して単に「カップ」という。)内の飲料を保温又は保冷できる構造になっている(例えば、特許文献２、特許文献３参照)。  従来、車両に搭載されるカップホルダーとしては各種のものが知られている（例えば、特許文献１、特許文献２、特許文献３参照）。
【特許文献１】特開平７−１９５９３７号公報（図１〜図４）。
【特許文献２】特開２００２−２３５４号公報（図４）。
【特許文献３】特開２０００−１４２２０４号公報（図１〜図３）。
【発明の開示】
【発明が解決しようとする課題】
【０００４】
特許文献１記載のカップホルダーは、トレイ状のカップ受台上に飲料を入れたカップを載せ、該カップの周面に空調機の空気吹出口から温風又は冷風を直接吹き付け、カップと共に飲料を保温又は保冷する構造に成っている。このため、カップはカップ受台上に露出して載せられているので、該カップの周面全体に十分な温風又は冷風を導くことが難しく、飲料の入ったカップ全体を効率良く加熱又は冷却することができないことになり、しかも加熱又は冷却に時間を要するという問題があった。
【０００５】
特許文献２及び特許文献３記載のカップホルダーは、カップが収納されるカップ収納容器を有し、該カップ収納容器内に空調機のダクトから吹き出された温風又は冷風を導き、該カップ収納容器内を流れる温風又は冷風によって該カップ収納容器内に収納したカップと共に該カップ内の飲料を所望の温度に保温又は保冷するので、効率的には特許文献１の問題点を解決することはできる。
【０００６】
しかしながら、特許文献２及び特許文献３に記載されているカップホルダーは、カップが載せられている、いないに関わらず、常に空気吹出口から温風又は冷風が室内に吹き出されている。このことは、吹き出される空気が分散され、必要とする空気吹出口の風量が弱められることになり、効率的には良くない。
【０００７】
そこで、空調機からの空気を有効に利用し、カップ内の飲料を効率良く、確実に保温又は保冷ができ、且つ、操作が簡単な構造を得るために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、空調機ダクトの空気吹出口と接続された通風口を有するカップ収納容器を備える建設機械のカップホルダーに於いて、前記カップ収納容器内に収納されたカップを検出し前記通風口を開放して前記空調機ダクトからの温風又は冷風を前記カップ収納容器内に導くと共に、前記カップが排出されると前記通風口を閉じて前記空調機ダクトからの温風又は冷風を遮断するシャッタ手段を設けた建設機械のカップホルダーを提供する。
【０００９】
この構成によれば、カップをカップ収納容器内に収納すると通風口が自動的に開いて空調機ダクトから温風又は冷風がカップ収納容器内に送られ、反対に、カップを排出すると通風口が自動的に閉じられ、前記空調機ダクトからの温風又は冷風を遮断することができる。
【００１０】
請求項２記載の発明は、上記シャッタ手段は上記通風口を閉じる遮蔽位置と該通風口を開放する送風位置とに切り換え移動可能なシャッタ部材と、該シャッタ部材を前記遮蔽位置に付勢しているバネ手段とを備えて成り、前記バネ手段の付勢力に打ち勝つ重さのカップが収納されると前記シャッタ部材が前記送風位置側に移動して前記通風口が開放されるようにした建設機械のカップホルダーを提供することにある。
【００１１】
この構成によれば、カップ収納容器内に収納されるカップの重さでシャッタ部材が遮蔽位置から送風位置に移動する。
【００１２】
請求項３記載の発明は、前記通風口は、前記カップ収納容器の底面に設けた建設機械のカップホルダーを提供することにある。
【００１３】
この構成によれば、底面からカップ収納容器内に導かれた温風又は冷風は、カップ収納容器内のカップの底面から側面を沿うようにして流れ、カップの略全体に亘って保温又は保冷が成される。
【００１４】
請求項４記載の発明は、前記シャッタ手段は、前記通風口を閉じる遮蔽位置と前記通風口を開放する送風位置とに回動切り換え可能で、且つ、常に前記遮蔽位置側に回動付勢されているシャッタ部と、上記カップが前記カップ収納容器内に収納されるのを検出し、該収納動作に連動して前記シャッタ部を前記遮蔽位置から通風位置に切り換えるためのセンサ部を備える建設機械のカップホルダーを提供する。
【００１５】
この構成によれば、カップ収納容器内にカップが収納される収納動作に連動して、シャッタ部材が遮蔽位置から送風位置に自動的に移動する。
【００１６】
請求項５記載の発明は、前記通風口を、前記カップ収納容器の側面に設けた建設機械のカップホルダーを提供する。
【００１７】
この構成によれば、カップ収納容器内に導かれた温風又は冷風は、カップ収納容器内のカップの側面に対して直接吹き付けられ、急速に加温又は冷却を行うことができる。
【発明の効果】
【００１８】
請求項１記載の発明は、カップ収納容器内に於けるカップの有無によりシャッタ手段が通風口を自動的に開閉し、空調機ダクトからの温風又は冷風の供給をコントロールするので、カップホルダーを使用しない時には、該空気吹出口から吹き出される温風又は冷風を別の必要とされる空気吹出口に自動的に回して該温風又は冷風を有効に使用することができる。又、切り換えが自動的に行われるので、操作が簡単になる。
【００１９】
請求項２記載の発明は、カップ収納容器内に収納されるカップの重さでシャッタ部材を遮蔽位置から送風位置に移動させることができるので、請求項１記載の発明の効果に加えて、カップの収納・排出動作に限ることなく、例えばカップ内に飲料が無くなった場合でも、これを検出してシャッタ部材を遮蔽位置に自動的に移動させることができる。
【００２０】
請求項３記載の発明は、底面からカップ収納容器内に導かれた温風又は冷風を、カップ収納容器内のカップの底面から側面に亘って沿うようにして流すので、請求項１又は２記載の発明の効果に加えて、カップの略全体に亘って保温又は保冷を効率的に行うことができる。
【００２１】
請求項４記載の発明は、カップ収納容器内に収納されるカップの収納動作に連動して、シャッタ部材を遮蔽位置から送風位置に自動的に移動させることができるので、請求項１記載の発明の効果に加えて、操作が簡単になる。
【００２２】
請求項５記載の発明は、カップ収納容器内に導かれた温風又は冷風を、カップ収納容器内のカップの側面に対し直接吹き付けることができるので、請求項１又は４記載の発明の効果に加えて、急速に加温又は冷却を行うことができる。
【発明を実施するための最良の形態】
【００２３】
以下、本発明の実施例を図面に従って詳述する。
【実施例１】
【００２４】
図１は、本発明のカップホルダーを使用した建設車両の一例として油圧ショベル１０を示したものであり、該油圧ショベル１０は、下部走行体１１の上に旋回機構１２を介して上部旋回体１３が旋回自在に載置されている。上部旋回体１３には、その前方一側部にキャブ１４が設けられ、且つ、前方中央部にブーム１５が俯仰可能に取り付けられている。又、ブーム１５の先端にアーム１６が上下回動自在に取り付けられ、更に該アーム１６の先端にバケット１７が取り付けられている。
【００２５】
図２はキャブ１４内の概略構成を示す。該キャブ１４は、後下部に空調機(エアコンユニット)１８が配設され、該空調機１８から延出した空調機ダクトが、運転席１９の横を通って、キャブ１４の前部で、フロントサイドフレーム２０に取り付けられた樹脂製のトリムカバー２１内まで延設されている。
【００２６】
該トリムカバー２１には、上方部分に空調機ダクトの上部吹出口２２が運転席１９の方向に向いて形成されていると共に、上部吹出口２２の上方部分にカップホルダー２３が設けられている。
【００２７】
図３乃至図５にカップホルダー２３の詳細な構造を示す。図３はカップ３２を載せていない状態で示すカップホルダー２３の縦断面図、図４はカップ３２を載せた状態で示すカップホルダー２３の縦断面図、図５は図３のＡ−Ａ線断面図である。
【００２８】
図３乃至図５に於いて、カップホルダー２３は、空調機ダクト２４の空気吹出口２５に取り付けたカップ収納容器２６と、該カップ収納容器２６と空調機ダクト２４との間に設けたシャッタ手段２７とを有する。尚、トリムカバー２１には、カップ収納容器２６を取り付ける部分に対応して円形の取付穴２８が設けられており、該取付穴２８にカップ収納容器２６を取り付けている。
【００２９】
前記カップ収納容器２６は、樹脂製で、円筒形の本体部２６ａと、該本体部２６ａの底面を閉じた底壁部２６ｂとを一体に有し、上面を開口させて概略カップ状に形成されている。又、上面開口２９の外周部分には鍔部３０が全周に亘って設けられている。更に、底壁部２６ｂの中心には、円形の通風口３１が上下に貫通して設けられている。
【００３０】
前記空調機ダクト２４は、空調機１８に通じており、空気吹出口２５にはカップ収納容器２６に於ける本体部２６ａの下部が密に挿入結合される。又、空調機ダクト２４の内周面には、貫通穴３３を中心に設けた座部３４が周回した状態で一体に形成されていると共に、更に座部３４上に環状のバネ位置決め用の周回壁３５が一体に形成されている。
【００３１】
前記シャッタ手段２７は、シャッタ部材３６と、バネ手段としてのコイルバネ３７とで成る。シャッタ部材３６は、樹脂材で、円板状の本体部３６ａと、該本体部３６ａの上面側に形成されたカップ受け用の周回壁３６ｂと、該本体部３６ａの下面側に形成されたバネ位置決め用の周回壁３６ｃとを一体に有している。尚、本体部３６ａの外径は空調機ダクト２４の内径よりも小さく、且つ、通風口３１よりも大きく形成されていて、通風口３１を密閉できる構造になっている。又、周回壁３６ｂは本体部３６ａと同心的に設けられている。該周回壁３６ｂの外径は通風口３１の内径よりも小さく、高さはカップ収納容器２６の底壁部２６ｂの肉厚よりも十分大きく形成されていて、本体部３６ａがカップ収納容器２６の底壁部２６ａに当接して通風口３１を閉じたときには、周回壁３６ｂはカップ収納容器２６の本体部２６ａ内に大きく突出した状態になる。
【００３２】
次に、カップホルダー２３の組立手順の一例を説明する。先ず、カップ収納容器２６を取付穴２８に固定して取り付ける。続いて、空調機ダクト２４の空気吹出口２５より該空調機ダクト２４内にコイルバネ３７を収納し、該コイルバネ３７の下端を周回壁３５内に配置して座部３４上に位置決めする。次いで、同じく空調機ダクト２４の空気吹出口２５から、周回壁３６ｃを下側にしてシャッタ部材３６をコイルバネ３７上に載置し、周回壁３６ｃの内側にコイルバネ３７の上端を配置させる。この状態で、周回壁３６ｂを通風口３１内に挿入するようにして、カップ収納容器２６の下側を空調機ダクト２４の空気吹出口２５内に所定の位置まで圧入し、更に図示せぬ手段により固定すると組立が完了する。
【００３３】
このように組み立てられたカップホルダー２３は、使用していないとき、即ちカップ収納容器２６にカップ３２が収納されていないときは、バネ手段であるコイルバネ３７の付勢力でシャッタ部材３６の本体部３６ａがカップ収納容器２６の底壁部２６ｂの下面に当接した遮蔽位置に移動し、周回壁３６ｂが本体部３６ａ内に大きく突出し、通風口３１は本体部３６ａで閉じられた状態になっている。図３は、このようにシャッタ部材３６で通風口３１を閉じている状態を示す。
【００３４】
このようにシャッタ部材３６で通風口３１を閉じている状態では、該通風口３１と対応している空調機ダクト２４の空気吹出口２５も閉じられ、該空気吹出口２５から吹き出すことが出来る温風又は冷風は、他の温風又は冷風を必要とする空気吹出口に回されて該他の空気吹出口から効率良く吹き出されることになる。
【００３５】
これに対して、飲料の入ったカップ３２をカップ収納容器２６内に収納すると、該カップ３２の下面がシャッタ部材３６の周回壁３６ｂ上に載置され、カップ３２の重量がシャッタ部材３６上に付加される。又、このカップ３２の重みでコイルバネ３７が圧縮され、シャッタ部材３６がカップ３２と共に下方、即ち送風位置側に移動し、これに伴って通風口３１が開く。図４は、このようにシャッタ部材３６が通風位置に移動し、通風口３１が開いている状態を示す。
【００３６】
このように通風口３１が開いている状態では、空調機１８の空調機ダクト２４からの温風又は冷風は、空気吹出口２５から通風口３１を通ってカップ収納容器２６内に導かれ、カップ収納容器２６内のカップ３２の底面に向かって吹き付けられた後、該底面から側面に沿うようにしてカップ３２の外面に沿って流れ、その後、上面開口２９より排出される。この空気の流れによってカップ３２と共に飲料を加温又は冷却することができる。
【００３７】
従って、実施例１に於けるカップホルダー２３は、カップ収納容器２６内に於けるカップ３２の有無によりシャッタ手段２７が通風口３１を自動的に開閉し、空調機ダクト２４からの温風又は冷風の供給をコントロールするので、カップホルダー２３を使用しない時には、該空気吹出口２５から吹き出される温風又は冷風を別の必要とされる空気吹出口に自動的に回すことができる。これにより、該温風又は冷風を有効に使用することが可能になる。又、シャッタ手段の切り換えが自動的に行われるので、操作が簡単になる。更に、底壁部２６ｂに設けられた通風口３１からカップ収納容器２６内に導かれた温風又は冷風を、カップ３２の底面から側面に亘って沿うようにして流すので、カップ３２の略全体に亘って保温又は保冷を効率的に行うことができる。
【００３８】
尚、コイルバネ３７のバネ力を選択することにより、カップの収納・排出動作に限ることなく、例えばカップ３２内の飲料が無くなって軽くなった場合でも、これを検出してシャッタ部材３６を遮蔽位置に移動させるようにすることもできる。
【実施例２】
【００３９】
図６乃至図８は本発明に係るカップホルダーの第２の実施例を示す。図６はカップ３２を載せていない状態で示すカップホルダー２３の縦断面図、図７はカップ３２を載せた状態で示すカップホルダー２３の縦断面図、図８は図６のＢ−Ｂ線断面図である。本実施例２に於けるカップホルダー２３の構成は空気吹出口２５及び通風口３１をカップ収納容器２６の側面側に設けたものであり、その他の構成は、図１乃至図５と同一であるから同一構成部分については同一符号を付して説明する。
【００４０】
図６乃至図８に於いて、カップホルダー２３は、空調機ダクト２４の空気吹出口２５と接する位置に取り付けたカップ収納容器２６と、該カップ収納容器２６に取り付けたシャッタ手段２７とを有する。尚、トリムカバー２１には、カップ収納容器２６を取り付ける部分に対応して円形の取付穴２８が設けられており、該取付穴２８にカップ収納容器２６を取り付けている。
【００４１】
前記カップ収納容器２６は、樹脂材で作られ、円筒形の本体部２６ａと、該本体部２６ａの底面を閉じた底壁部２６ｂとを一体に有し、上面を開口させて概略カップ状に形成されている。又、上面開口２９の外周部分には鍔部３０が全周に亘って設けられている。更に、本体部２６ａの側面、即ち外周部分には、外部からの空気をカップ収納容器２６内に導くための通風口３１が複数(本例では３１ａ，３１ｂ，３１ｃの３つ)に分割されて設けられている。
【００４２】
シャッタ手段２７は、通風口３１と対応してカップ収納容器２６の本体部２６ａの外周部分に設けられている。該シャッタ手段２７は、本体部２６ａの外周部分から外側に向かって延ばされている左右一対のアーム３８，３８(図８参照)と、該一対のアーム３８，３８に掛け渡して該一対のアーム３８，３８に両端をそれぞれ取り付けている枢軸３９と、該枢軸３９を介して上下方向に回動可能に取り付けられているシャッタ部材４０とを有する。
【００４３】
又、シャッタ部材４０は、カップ収納容器２６の本体部２６ａの外側で通風口３１を開閉可能なシャッタ部４０ａと、通風口３１を通って本体部２６ａ内に延ばされているセンサ部４０ｂとを一体に有している。該シャッタ部材４０は、シャッタ部４０ａの重量がセンサ部４０ｂの重量よりも十分大きくなるようにして作られている。そして、通常は枢軸３９を支点としてシャッタ部４０ａが該シャッタ部４０ａの重みで下側に真っ直ぐ向いて通風口３１を閉じた状態に回転され、センサ４０ｂが本体部２６ａ内に大きく突出した状態に保持されている。
【００４４】
前記空調機ダクト２４は、空調機１８に通じており、空気吹出口２５をカップ収納容器２６の通風口３１に対応させ、シャッタ部材４０が空調機ダクト２４の空気吹出口２５内に配置されるようにして取り付けられている。
【００４５】
このように組み立てられたカップホルダー２３は、使用していないとき、即ちカップ収納容器２６にカップ３２が収納されていないとき、枢軸３９を支点としてシャッタ部４０ａが該シャッタ部４０ａの重みで下側に真っ直ぐ向いて通風口３１を閉じた状態に回転し、センサ４０ｂが本体部２６ａ内に大きく突出している。図６は、このように通風口３１をシャッタ部４０ａで閉じている状態を示す。
【００４６】
このように通風口３１がシャッタ部材３６で閉じている状態では、該通風口３１と対応する空調機ダクト２４の空気吹出口２５もシャッタ部材３６で閉じられた状態にあり、該空気吹出口２５から吹き出すことが出来る温風又は冷風は、他の温風又は冷風を必要とする空気吹出口に回され、該他の空気吹出口から効率良く吹き出されることになる。
【００４７】
これに対して、飲料が入れられたカップ３２をカップ収納容器２６内に落とし込み収納すると、カップ３２の収納途中において、該カップ３２の下面がセンサ４０ｂに衝合する。更に、カップ３２の落とし込み収納が続くと、該カップ３２の収納に連動してセンサ部４０ｂが押し下げられ、この押し下げによりシャッタ部材４０の全体が通風位置側に回転されてシャッタ部４０ａがカップ収納容器２６の側面から離れ、通風口３１が開放される。又、該開放状態はカップ３２とセンサ部４０ｂとの衝合によって、カップ３２がカップ収納容器２６内に配置されている間、維持される。図７は、このようにシャッタ部材４０が通風位置に回転し、通風口３１が開いている状態を示す。
【００４８】
このように通風口３１が開いている状態では、空調機１８の空調機ダクト２４からの温風又は冷風は、空気吹出口２５から通風口３１を通ってカップ収納容器２６内に導かれ、カップ収納容器２６内のカップ３２の側面に向かって吹き付けられる。又、カップ収納容器２６内を周回した後、上面開口２９から排出される。この空気の流れによってカップ３２と共に飲料を加温又は冷却することができる。
【００４９】
反対に、カップ収納容器２６内からカップ３２を取り出すと、センサ部４０ｂとカップ３２との衝合が解かれ、シャッタ部材４０はシャッタ部４０ａの重みにより、通風口３１を閉じる方向に遮蔽位置まで回転し、遮蔽すると再びカップ３２が収納されるまでこの状態を保持する。
【００５０】
従って、実施例２に於けるカップホルダー２３は、カップ収納容器２６に対するカップ３２の収納・排出動作に連動してシャッタ手段２７が通風口３１を自動的に開閉し、空調機ダクト２４からの温風又は冷風の供給をコントロールするので、カップホルダー２３を使用しない時には、該空気吹出口２５から吹き出す温風又は冷風を別の必要とされる空気吹出口に自動的に回すことができ、該温風又は冷風の効果的な使用が可能になる。又、切り換えが自動的に行われるので、操作が簡単になるという利点がある。更に、底壁部２６ｂに設けられた通風口３１からカップ収納容器２６内に導かれた温風又は冷風が、カップ３２の側面に対し直接吹き付けられるので、カップ３２と共に飲料を急速に加温又は冷却することができる。
【００５１】
尚、本発明は、本発明の精神を逸脱しない限り種々の改変を為すことができ、そして、本発明が該改変されたものに及ぶことは当然である。
【図面の簡単な説明】
【００５２】
【図１】本発明のカップホルダーを使用した油圧ショベルの側面図。
【図２】油圧ショベルのキャブ内の概略構成を示す斜視図。
【図３】本発明の第１の実施例に係る建設機械のカップホルダーを示し、カップを収納しない状態の断面図。
【図４】本発明の第１の実施例に係る建設機械のカップホルダーを示し、カップを収納した状態の断面図。
【図５】図３のＡ−Ａ線断面図。
【図６】本発明の第２の実施例に係る建設機械のカップホルダーを示し、カップを収納しない状態の断面図。
【図７】本発明の第２の実施例に係る建設機械のカップホルダーを示し、カップを収納した状態の断面図。
【図８】図６のＢ−Ｂ線断面図。
【符号の説明】
【００５３】
２１      トリムカバー
２３      カップホルダー
２４      空調機ダクト
２５      空気吹出口
２６      カップ収納容器
２６ａ    本体部
２６ｂ    底壁部
２７      シャッタ手段
３１      通風口
３２      カップ
３６      シャッタ部材
３７      コイルバネ
４０      シャッタ部材
４０ａ    シャッタ部
４０ｂ    センサ部
【図１】
2005119376.tif 000003
【図２】
2005119376.tif 000004
【図３】
2005119376.tif 000005
【図４】
2005119376.tif 000006
【図５】
2005119376.tif 000007
【図６】
2005119376.tif 000008
【図７】
2005119376.tif 000009
【図８】
2005119376.tif 000010